(57)【要約】【課題】様々な支持部及び／またはシートクッションに適用可能な幌を提供する。【解決手段】支持部２０上に支持されたシートクッション３０を覆う幌７０であって、シートクッション３０を覆う幌本体７１と、幌本体７１の縁部の少なくとも一部９１ａに接続して、シートクッション３０と支持部２０との間に配置されるベース７２と、を備える幌７０。【選択図】図６
2019131111.tif 000002
【特許請求の範囲】
【請求項１】
支持部上に支持されたシートクッションを覆う幌であって、
前記シートクッションを覆う幌本体と、
前記幌本体の縁部の少なくとも一部に接続して、前記シートクッションと前記支持部との間に配置されるベースと、を備える幌。
【請求項２】
前記支持部に設けられて前記シートクッションに形成された貫通孔を通過して延びるベルト材が通過する穴が、前記ベースに形成されている、請求項１に記載の幌。
【請求項３】
前記支持部に三つのベルト材が設けられ、
前記シートクッションには、前記三つのベルト材がそれぞれ通過する三つの貫通孔が形成されており、
前記ベースには、前記三つのベルト材がそれぞれ通過する三つの穴が形成されている、請求項１に記載の幌。
【請求項４】
前記支持部に股ベルト材及び一対の腰ベルト材が設けられ、
前記シートクッションには、前記股ベルト材及び前記一対の腰ベルト材がそれぞれ通過する三つの貫通孔が形成されており、
前記ベースには、前記股ベルト材及び前記一対の腰ベルト材がそれぞれ通過する三つの穴が形成されている、請求項１に記載の幌。
【請求項５】
前記シートクッションは、子供の臀部に対面するようになる座部と、前記子供の背中に対面するようになる背部と、を有し、
前記ベースは、前記背部の一部分及び前記座部と前記支持部との間に配置される、請求項１〜４のいずれか一項に記載の幌。
【請求項６】
前記幌本体の前記縁部の一部分に設けられ、前記一部分を前記シートクッション及び前記支持部の少なくとも一方に接触させる接触手段を、更に備える、請求項１〜５のいずれか一項に記載の幌。
【請求項７】
前記接触手段は、前記幌本体の前記縁部の一部分に沿って設けられたゴムである、請求項６に記載の幌。
【請求項８】
前記支持部は、育児器具本体であって、前記シートクッションとともに育児器具を構成する、請求項１〜７のいずれか一項に記載の幌。
【請求項９】
前記幌本体は、布地と、前記布地に取り付けられた棒状の補強材と、を有し、
前記ベースは、前記幌本体の前記布地よりも高強度の布地を有する、請求項１〜８のいずれか一項に記載の幌。
【請求項１０】
前記ベースは、布地を有し、
前記幌本体の前記布地は、前記ベースの前記布地よりも可視光透過率の高い布地を有する、請求項１〜９のいずれか一項に記載の幌。
【請求項１１】
前記幌本体は、メッシュ材と、前記メッシュ材に取り付けられた棒状の補強材と、を有する、請求項１〜１０のいずれか一項に記載の幌。
【請求項１２】
育児器具本体として構成された支持部と、
前記支持部上に支持された前記シートクッションと、
請求項１〜１１のいずれか一項に記載の幌と、を備える育児器具。
【発明の詳細な説明】
【技術分野】
【０００１】
本発明は、幌及び幌を備えた育児器具に関する。
【背景技術】
【０００２】
従来、乳母車や揺動椅子等の育児器具の多くには、幌が設けられている。従来の幌は、通常、育児器具本体としての支持部上に支持されたシートクッションを覆う幌本体と、幌本体を支持部に接続するための接続部と、を有する。また、育児器具本体としての支持部には、幌の接続部が接続されて幌を保持する保持部が設けられている。幌本体は、幌布と幌布に取り付けられた複数の幌骨とを含む。幌骨は、略Ｕ字状に形成され、その両基端部に接続された接続部に対して揺動可能に取り付けられている。そして、幌骨を接続部に対して揺動させることにより、幌布を広げることができる。幌は、その広げられた状態において、支持部と幌布とで囲まれた空間を形成する。このような幌は、日差しや照明光、風雨等を遮って、前記空間内にいる乳幼児に快適な環境を提供することができる。
【先行技術文献】
【特許文献】
【０００３】
【特許文献１】特開２００４−２７６８７４号公報
【発明の概要】
【発明が解決しようとする課題】
【０００４】
ところで、上述のような幌へのニーズの一つとして、様々な支持部及び／またはシートクッションに適用可能であることがある。幌が様々な支持部に適用可能であれば、幌と支持部及び／またはシートクッションとを、所望のように組み合わせて使用することができる。
【０００５】
しかしながら、一般に、幌の接続部は、当該接続部に対応して設計された保持部にのみ接続可能である。接続部が対応しない保持部に接続されたとしても、幌は、保持部に所望のように保持されない。この場合、幌にぐらつきが生じたり、幌と支持部及び／またはシートクッションとの間に望ましくない隙間が形成されたりして、幌は所望の機能を発揮することができない。また、そもそも、一般に、幌は、保持部が設けられていない支持部及び／またはシートクッションには接続することができない。
【０００６】
本開示の実施形態は、以上の点を考慮してなされたものであり、様々な支持部及び／またはシートクッションに適用可能な幌を提供することを目的とする。また、そのような幌を有する育児器具を提供することを目的とする。
【課題を解決するための手段】
【０００７】
本発明による幌は、支持部上に支持されたシートクッションを覆う幌であって、
前記シートクッションを覆う幌本体と、
前記幌本体の縁部の少なくとも一部に接続して、前記シートクッションと前記支持部との間に配置されるベースと、を備えている。
【０００８】
この場合、前記支持部に設けられて前記シートクッションに形成された貫通孔を通過して延びるベルト材が通過する穴が、前記ベースに形成されていてもよい。
【０００９】
例えば、前記支持部に三つのベルト材が設けられ、
前記シートクッションには、前記三つのベルト材がそれぞれ通過する三つの貫通孔が形成されており、
前記ベースには、前記三つのベルト材がそれぞれ通過する三つの穴が形成されていてもよい。
【００１０】
より具体的には、前記支持部に股ベルト材及び一対の腰ベルト材が設けられ、
前記シートクッションには、前記股ベルト材及び前記一対の腰ベルト材がそれぞれ通過する三つの貫通孔が形成されており、
前記ベースには、前記股ベルト材及び前記一対の腰ベルト材がそれぞれ通過する三つの穴が形成されていてもよい。
【００１１】
また、本発明による幌において、前記シートクッションは、子供の臀部に対面するようになる座部と、前記子供の背中に対面するようになる背部と、を有し、
前記ベースは、前記背部の一部分及び前記座部と前記支持部との間に配置されていてもよい。
【００１２】
また、本発明による幌において、前記幌本体の前記縁部の一部分に設けられ、前記一部分を前記シートクッション及び前記支持部の少なくとも一方に接触させる接触手段を、更に備えていてもよい。
【００１３】
例えば、前記接触手段は、前記幌本体の前記縁部の一部分に沿って設けられたゴムであってよい。
【００１４】
また、本発明による幌において、前記支持部は、育児器具本体であって、前記シートクッションとともに育児器具を構成してもよい。
【００１５】
また、本発明による幌において、前記幌本体は、布地と、前記布地に取り付けられた棒状の補強材と、を有し、
前記ベースは、前記幌本体の前記布地よりも高強度の布地を有していてもよい。
【００１６】
また、本発明による幌において、前記ベースは、布地を有し、
前記幌本体の前記布地は、前記ベースの前記布地よりも可視光透過率の高い布地を有していてもよい。
【００１７】
また、本発明による幌において、前記幌本体は、メッシュ材と、前記メッシュ材に取り付けられた棒状の補強材と、を有していてよい。
【００１８】
あるいは、本発明による育児器具は、
育児器具本体として構成された支持部と、
前記支持部上に支持された前記シートクッションと、
上述の幌と、を備えている。
【発明の効果】
【００１９】
本発明による幌によれば、幌を、様々な支持部及び／またはシートクッションに適用することができる。
【図面の簡単な説明】
【００２０】
【図１】本発明の一実施の形態を説明する図であって、幌が閉鎖されて全展開状態にある育児器具を示す斜視図。
【図２】図１に示す育児器であって、幌が開放されて折り畳み状態にある育児器具を示す斜視図。
【図３】図１及び図２に示す育児器具の育児器具本体を示す斜視図。
【図４】図１及び図２に示すシートクッションを示す斜視図。
【図５】図１に示す育児器具の、前後方向に沿った左右方向中心面における部分断面図。
【図６】図１に示す育児器具に含まれる幌を全展開状態で示す斜視図。
【図７】図６に示す幌の側面図。
【図８】支持部に装着された幌を、支持部の子供側とは反対の側から見た図。
【図９】図６及び図７に示す幌の支持部及びシートクッションへの装着方法を示す斜視図。
【図１０】図６及び図７に示す幌の支持部及びシートクッションへの装着方法を示す斜視図。
【図１１】図６及び図７に示す幌の支持部及びシートクッションへの装着方法を示す斜視図。
【図１２】図６及び図７に示す幌の他の適用例を示す側面図。
【図１３】図６及び図７に示す幌の更に他の適用例を示す斜視図。
【図１４】図１に示す育児器具の変形例を示す斜視図。
【発明を実施するための形態】
【００２１】
以下、図面を参照して本発明の一実施の形態について説明する。
【００２２】
図１及び図２は、本発明による幌を有する育児器具を示す斜視図である。図１には、幌が、閉鎖された全展開状態で示されており、図２には、幌が、開放された折り畳み状態で示されている。育児器具は、乳母車、チャイルドシート、揺動椅子、歩行器等の器具であり、典型的には子供（乳児、幼児、児童等の年少者）を育てる過程において子供を世話するために使用される器具である。例えば、乳母車は、子供を乗せる手押し車であり、チャイルドシートは、車の座席や自転車のフレーム、椅子等に取り付けて用いられる子供用の補助座席である。また、揺動椅子は、子供用の座席または寝台であり、ベビーチェア、ハイアンドローチェア、ローチェア、ロッキングチェア、ベビーラック、ロッキングラックとも呼ばれる。
【００２３】
図１及び図２に示す例では、育児器具１０は、揺動椅子として構成されている。図１及び図２に示すように、育児器具１０は、育児器具本体として構成された支持部２０と、支持部２０上に支持されたシートクッション３０と、シートクッション３０を覆う幌７０と、を含む。また、育児器具１０は、支持部２０の下方に設けられるとともに育児器具本体部２０を支持する脚部４０を含む。育児器具１０に乗り込む子供は、シートクッション３０上に寝ころび、または着座する。
【００２４】
ところで、本明細書中において、育児器具及びその構成要素に対する「前」、「後」、「上」、「下」、「左」、「右」、「前後方向」、「上下方向」及び「左右方向」の用語は、特に指示がない場合、育児器具及びその構成要素に着座する子供を基準とした「前」、「後」、「上」、「下」、「左」、「右」、「前後方向」、「上下方向」及び「左右方向」を意味する。さらに詳しくは、「前後方向」とは、図１乃至図４並びに図６における紙面の左下と右上とを結ぶ方向であって、図５及び図７における紙面の左右の方向に相当する。そして、特に指示がない限り、「前」とは、育児器具及びその構成要素に着座する子供が向く側であり、図１乃至図４並びに図６における紙面の左下側、並びに、図５及び図７における紙面の左側が前側となる。一方、「上下方向」とは前後方向に直交するとともに接地面に直交する方向である。したがって、接地面が水平面である場合、「上下方向」とは垂直方向をさす。また、「左右方向」とは幅方向であって、「前後方向」及び「上下方向」のいずれにも直交する方向である。
【００２５】
まず、図３を参照して、育児器具本体としての支持部２０について説明する。図３に示すように、支持部２０は、全体的に、前後方向に沿った左右方向中心面を中心として概ね対称な構成となっている。図３に示す例において、支持部２０は、座板２１ａと、この座板２１ａの後端に取り付けられた背板２１ｂと、座板２１ａの側方に設けられた一対のアームレスト２２，２２と、を有している。背板２１ｂの座板２１ａ側の端部とは反対側の端部には、ヘッドレスト２１ｅが設けられている。座板２１ａの前端にはフットレスト２１ｄが設けられている。背板２１ｂは、座板２１ａに対して、後方に倒伏させ（図３参照）また上方に起立させることができる構成となっている。また、ヘッドレスト２１ｅは、背板２１ｂに対して子供が配置される側（以下、単に「子供側」と呼ぶ）に起立させ（図３参照）、また背板２１ｂに沿うように背板２１ｂに対して倒伏させることができる構成となっている。
【００２６】
脚部４０は、支持部２０を支持するものであり、この脚部４０は、左右一対の前脚４０ａ，４０ａ及び後脚４０ｂ，４０ｂからなっている。各前脚４０ａ及び各後脚４０ｂは、図１及び図２によく示されているように、それぞれの中間部において互いに回動自在に連結され、育児器具１０を側方から見てＸ字状に配置されている。なお、脚部４０は、揺動部４５を介して支持部２０を支持するようになっている。揺動部４５は、支持部２０を脚部４０に対して前後方向に往復運動可能に支持している。
【００２７】
前脚４０ａ，４０ａ及び後脚４０ｂ，４０ｂの下方端には、それぞれ前輪４０ｃ及び後輪４０ｄが設けられている。前輪４０ｃ及び後輪４０ｄの各々は、当該前輪４０ｃ及び当該後輪４０ｄを固定するストッパ４０ｅを有している。前輪４０ｃ及び後輪４０ｄを固定することにより、脚部４０全体が床面Ｆに対して固定される。
【００２８】
このような育児器具本体としての支持部２０は、図３に示すように、背板２１ｂを座板２１ａに対して倒伏させ、さらにヘッドレスト２１ｅを背板２１ｂに対して上方に起立させることにより、子供用の寝台として用いることができる。また、支持部２０は、背板２１ｂを座板２１ａに対して上方に起立させ、さらにヘッドレスト２１ｅを背板２１ｂに沿うように背板２１ｂに対して倒伏させることにより、子供用の椅子として用いることもできる。さらに、脚部４０の各前脚４０ａ及び各後脚４０ｂは、それぞれの中間部において互いに回動自在に連結されているので、前脚４０ａの前輪４０ｃと後脚４０ｂの後輪４０ｄとの距離を広げることにより支持部２０の位置を低くすることができる。また、前脚４０ａの前輪４０ｃと後脚４０ｂの後輪４０ｄとの距離を狭めることにより支持部２０の位置を高くすることができる。
【００２９】
図３に示すように、支持部２０には、子供用ベルト５０が取り付けられている。子供用ベルト５０によって、支持部２０に乗り込んだ子供の身体が、支持部２０上に保持されるようになる。子供用ベルト５０は、股ベルト及び肩ベルトを有する三点式ベルトとして形成されてもよいが、図示の例では、股ベルト、腰ベルト及び肩ベルトを有する五点式ベルトとして形成されている。
【００３０】
図３によく示されているように、子供用ベルト５０は、股ベルトとして機能する股ベルト材５１と、腰ベルトとして機能する一対の腰ベルト材５２，５３と、肩ベルトとして機能する一対の肩ベルト材５４，５５と、を有している。股ベルト材５１の一端は、座板２１ａの略中央に取り付けられている。一対の腰ベルト材５２，５３の一端は、背板２１ｂの座板２１ａ側の端部の近傍に位置する腰区域内に、互いから左右方向に離間して取り付けられている。一対の肩ベルト材５４，５５の一端は、背板２１ｂの略中央に位置する肩区域内に、互いから左右方向に離間して取り付けられている。
【００３１】
股ベルト材５１の他端には、第１接続具としてのバックル５６が取り付けられている。また、各腰ベルト材５２，５３の他端には第２接続具としてのタング５７が取り付けられており、各肩ベルト材５４，５５の他端には、第３接続具としてのタング５８が取り付けられている。第２接続具５７及び第３接続具５８は、第１接続具５６に係止される構成になっている。
【００３２】
なお、上述の子供用ベルト５０は、揺動椅子に限らず、乳母車等の多くの育児器具に、一般に設けられている。
【００３３】
次に、図４及び図５を参照しながら、支持部２０に装着されるシートクッション３０について説明する。図４は、シートクッション３０の斜視図である。また、図５は、幌７０と共に支持部２０に装着されたシートクッション３０の、前後方向に沿った左右方向中心面における部分断面図である。図４から理解されるように、シートクッション３０は、全体的に前後方向に沿って延びる左右方向中心面を中心として概ね対称な構成となっている。
【００３４】
図４に示すように、シートクッション３０は、座部３１と、座部３１と接続されて座部３１の後方に位置する背部３２と、座部３１及び背部３２の側方に位置する一対の側壁部３３と、を有している。座部３１は、支持部２０の座板２１ａによって支持され、育児器具１０に乗り込んだ子供の臀部に主として対面するようになる。一方、背部３２は、支持部２０の背板２１ｂによって支持され、育児器具１０に乗り込んだ子供の背中に主として対面するようになる。側壁部３３は、座部３１及び背部３２の左右の側縁から延び出ている。側壁部３３は、支持部２０のアームレスト２２に支持される。また、シートクッション３０は、背部３２の座部３１とは反対側の縁部に接続された頭側部３４をさらに有している。頭側部３４は、左右の側壁部３３を連結しており、支持部２０のヘッドレスト２１ｅに支持される。また、シートクッション３０は、座部３１の背部３２とは反対側の縁部に接続された足側部３５をさらに有している。足側部３５は、左右の側壁部３３を連結しており、フットレスト２１ｄに支持される。さらに、シートクッション３０は、側壁部３３及び頭側部３４の背部３２とは反対側の外縁部に接続されたカバー３６を有している。図４に示されているように、カバー３６は、シートクッション３０の子供側とは反対の側に延び出している。そして、図５に示すように、カバー３６は、シートクッション３０が支持部２０に装着された状態において、支持部２０のヘッドレスト２１ｅ及び背板２１ｂの一部を覆い隠すようになっている。
【００３５】
図４に示すように、シートクッション３０には、支持部２０の五つのベルト材５１〜５５がそれぞれ通過する五つの貫通孔６１〜６５が形成されている。第１の貫通孔６１は、シートクッション３０の座部３１の中央に設けられ、股ベルト材５１が通過する。第２及び第３の貫通孔６２，６３は、背部３２の座部３１側の端部の近傍に位置する腰区域に、互いから左右方向に離間して設けられている。第２及び第３の貫通孔６２，６３は、それぞれ、腰ベルト材５２，５３が通過する。また、第４及び第５の貫通孔６４，６５は、背部３２の略中央に位置する肩区域に、互いから左右方向に離間して設けられている。第４及び第５の貫通孔６４，６５は、肩ベルト材５４，５５が通過する。
【００３６】
ところで、図示のような育児器具には、支持部上に支持されたシートクッションを覆う幌が設けられる。このような幌へのニーズの一つとして、様々な支持部やシートクッションに適用可能であることがある。幌が様々な支持部やシートクッションに適用可能であれば、幌と支持部及び／またはシートクッションとを、所望のように組み合わせて使用することができる。しかしながら、一般に、幌は当該幌に対応して設計された支持部やシートクッションにのみ接続可能であるか、接続できたとしてもその機能を所望のように発揮することができない。具体的には、一般に、幌は、支持部またはシートクッションに接続するための接続部を有している。また支持部またはシートクッションは、幌の接続部が接続され、幌を保持する保持部を有している。幌は、その接続部に対応して設計されていない保持部には接続不可能であるか、接続できたとしても、ぐらついたり、幌と支持部またはシートクッションとの間に望ましくない隙間が形成されたりして、その機能を所望のように発揮することができない。また、そもそも、一般に、幌は、保持部を有さない支持部やシートクッションには接続することができない。
【００３７】
このような事情を考慮して、本実施の形態の幌は、様々な支持部やシートクッションに適用可能とするための工夫がなされている。
【００３８】
以下、図５乃至図８を参照して、幌について説明する。図６及び図７は、支持部及びシートクッションに装着される前の幌を示す。図６は、全展開状態にある幌を示す斜視図であり、図７は、図６に示す幌の側面図である。図８は、支持部及びシートクッションに装着された幌を、支持部の子供側とは反対の側から示す図である。
【００３９】
図５に示すように、幌７０は、シートクッション３０を覆う幌本体７１と、幌本体７１の周状の縁部の少なくとも一部に接続したベース７２と、を有する。図示の例では、幌７０は、蚊帳として機能する。
【００４０】
まず、ベース７２について説明する。図示の例では、図６に示すように、ベース７２は、略四角形の布地で形成されている。もちろん、ベース７２は、布地以外の材料を含んでいてもよい。また、ベース７２は、布地以外の材料で形成されていてもよい。図示の例では、図５に示すように、ベース７２は、支持部２０のフットレスト２１ｄと座板２１ａと背板２１ｂの腰区域との大部分を覆うのに十分な大きさを有している。ベース７２で座板２１ａと背板２１ｂとの間の隙間、及び、座板２１ａとフットレスト２１ｄとの間の隙間を覆うことにより、当該隙間を通じて幌７０の内部に、蚊等の害虫が侵入する虞が低減される。
【００４１】
図５に示すように、ベース７２は、シートクッション３０と支持部２０との間に配置される。これにより、ベース７２がシートクッション３０及び支持部２０に対して移動することが抑制される。図示の例では、ベース７２は、少なくとも、シートクッション３０の背部３２の一部（腰区域）及び座部３１と、支持部２０の背板２１ｂの一部（腰区域）及び座板２１ａと、の間に配置される。シートクッション３０及び支持部２０のこれらの部位は、育児器具１０に乗り込んだ子供の体重の大半を受ける部位である。ベース７２がシートクッション３０及び支持部２０のこれらの部位の間に配置されることにより、ベース７２が（したがって幌７０が）シートクッション３０及び支持部２０に対して移動することが、効果的に防止される。
【００４２】
さらに図示の例では、ベース７２には、支持部２０に設けられたベルト材５１〜５３が通過する穴８１〜８３が形成されている。ベース７２の穴８１〜８３にベルト材５１〜５３を通過させることにより、ベース７２をベルト材５１〜５３で保持することができる。この結果、ベース７２がシートクッション３０及び支持部２０に対して移動することが、さらに効果的に防止される。なお、ベルト材５１〜５３は、上述のように、育児器具１０に一般に設けられているものである。このような部材を用いてベース７２（したがって幌７０）を保持することにより、支持部２０やシートクッション３０に、幌７０を保持するための専用の保持部を形成する必要がない。
【００４３】
図示の例では、ベース７２には、三つの穴８１〜８３が設けられている。第１の穴８１は、ベース７２の中央に設けられており、股ベルト材５１が通過する。また、第２及び第３の穴８２，８３は、ベース７２の後方周縁部７２ｒの近傍の領域であって、背板２１ｂの腰区域を覆う領域に、互いに左右方向に離間して設けられている。第２及び第３の穴８２，８３は、それぞれ、腰ベルト材５２，５３が通過する。複数のベルト材５１〜５３がベース７２に設けられた複数の穴８１〜８３を通過することにより、ベース７２が、ベルト材５１〜５３が通過する複数箇所で保持される。これにより、ベース７２がシートクッション３０及び支持部２０に対して移動することが、一層効果的に防止される。
【００４４】
なお、ベース７２に設けられる穴は、股ベルト材５１や腰ベルト材５２，５３以外のベルト材、すなわち肩ベルト材５４，５５が通過する穴であってもよい。この場合、ベース７２は、背板２１ｂの肩区域を覆うように形成される。このようにベース７２に設けられる穴は、ベルト材５１〜５５の任意のベルト材が通過する穴であってよい。また、ベース７２に設けられる穴の数も任意である。しかしながら、腰ベルト材５２，５３は使用されないことも多い。このため、ベース７２に設けられる穴のいずれかは、股ベルト材５１または肩ベルト材５４，５５が通過する穴であることが好ましい。
【００４５】
上述のように、ベース７２は、シートクッション３０及び支持部２０との間に配置される。このため、ベース７２と、シートクッション３０及び支持部２０との間には、摩擦が生じる。また、図示の例では、ベース７２は、ベルト材５１〜５３によって保持されているため、ベルト材５１〜５３によって引っ張られることもある。さらに、ベース７２は、幌本体７１に接続されているため、幌本体７１によって引っ張られることもある。このようにベース７２には様々な力が加わるため、ベース７２は、これらの力に耐えられるよう、十分に強度の高い布地で作製されている。図示の例では、幌本体７１の布地９０よりも高強度の布地で形成されている。なお、本明細書において「高強度の布地」とは、引裂強さや破裂強さ、摩耗強さの高い布地をいう。
【００４６】
次に、幌本体７１について説明する。幌本体７１は、柔軟な布地９０と、布地９０に取り付けられた棒状の複数の補強材７３と、を有している。上述のように、幌７０は、蚊帳として機能する。そこで、図示の例では、幌本体７１の布地９０として、メッシュ状の布地が採用されている。幌本体７１の布地９０がメッシュ状であることにより、幌７０内部への蚊等の害虫の侵入を抑制しつつ、幌７０の外部と内部の通気性を確保することができる。もちろん、布地９０の代わりに布地以外のメッシュ材を採用してもよい。補強材７３は、布地９０に縫い付けられることによって保持され、Ｕ字状を成している。補強材７３は、例えばポリアセタール（ＰＯＭ）で形成されている。補強材７３は、図１に示す幌７０の全展開状態において、その剛性により、幌本体７１の布地９０を張った状態に維持する。これにより、布地９０とシートクッション３０との間に、子供を収容するスペースを安定して確保することができる。なお、図５に示すように、各補強材７３の両端部は、シートクッション３０の側壁部３３と支持部２０のアームレスト２２との間に配置されるため、シートクッション３０上の子供が、補強材７３の両端部に接触してけがをすることが防止される。
【００４７】
なお、幌本体７１の布地９０としては、幌７０に求められる機能に応じて、種々の公知の材料を用いることができる。例えば、幌７０の機能として、幌７０が全展開状態であっても幌７０の外部から内部あるいは内部から外部を視認可能とすること、が要求される場合には、幌本体７１の布地９０として、可視光透過率の高い布地が採用され得る。また、幌７０の機能として、日差しや照明光を遮ることが要求される場合には、幌本体７１の布地９０として、遮光性の高い布地が採用され得る。また、幌７０の機能として、風雨を遮ることが要求される場合には、幌本体７１の布地９０として、通気性が低く、撥水性や防水性、耐水性の高い布地が採用され得る。もちろん、幌本体７１の布地９０としては、互いに異なる機能を有する複数種類の布地が採用され得る。
【００４８】
図５に示すように、布材９０は、幌７０の全展開状態においてシートクッション３０の前方から上方を覆う第１主布部９１及び第２主布部９２と、支持部２０及びシートクッション３０の子供側とは反対の側を覆う副布部９３と、を有する。主布部９１，９２には、上述の複数の補強材７３が縫い付けられている。
【００４９】
図６及び図７に示すように、第１主布部９１は、ベース７２の前方周縁部７２ｆに接続されている。第１主布部９１は、幌本体７１の布地９０の前方縁部をなし、ベース７２に接続される第１縁部９１ａと、第２主布部９２に接続される第２縁部９１ｂと、を有している。第１縁部９１ａは、ベース７２の前方周縁部７２ｆに縫着されている。これにより、第１主布部９１とベース７２との間から、蚊等の害虫が幌７０の内部に侵入する虞が低減される。
【００５０】
第２主布部９２は、第１主布部９１に接続される第３縁部９２ａと、副布部９３に接続される第４縁部９２ｂと、を有している。第４縁部９２ｂは、副布部９３に縫着されている。これにより、第２主布部９２と副布部９３との間から、蚊等の害虫が幌７０の内部に侵入する虞が低減される。
【００５１】
第１主布部９１と第２主布部９２とは、スライドファスナー９５を介して接続されている。より具体的には、第１主布部９１の第２縁部９１ｂには、スライドファスナー９５の一対のファスナーストリンガー９５ａ，９５ｂのうち一方のファスナーストリンガー９５ａが設けられている。また、第２主布部９２の第３縁部９２ａには、他方のファスナーストリンガー９５ｂが、一方のファスナーストリンガー９５ａに対応して設けられている。スライドファスナー９５は、さらに、一対のファスナーストリンガー９５ａ，９５ｂの各エレメント列を係合させるスライダー９６を有しており、スライダー９６を移動させることにより、スライドファスナー９５を開閉することができるようになっている。そして、スライドファスナー９５を閉じることによって、第１主布部９１の第２縁部９１ｂと第２主布部９２の第３縁部９２ａとを隙間なく接続して、第１主布部９１と第２主布部９２との間から害虫が幌７０内に侵入することを防止することができる。また、スライドファスナー９５を開いて第１主布部９１と第２主布部９２とを引き分けることにより（図２参照）、幌７０を支持部２０に装着したまま、幌７０内の子供を取り出すことができる。
【００５２】
副布部９３は、第２主布部９２に接続する第５縁部９３ａと、幌本体７１の布地９０の後方縁部をなす第６縁部９３ｂと、を有する。上述のように、副布部９３は、幌７０が支持部２０に取り付けられた状態において、支持部２０及びシートクッション３０の子供側とは反対の側を覆う（図５及び図８参照）。これにより、副布部９３と支持部２０及びシートクッション３０との間から害虫が幌７０の内部に侵入する虞が、低減される。図５及び図８によく示されているように、第６縁部９３ｂには、副布部９３を支持部２０あるいはシートクッション３０のカバー３６に接触させる接触手段９４が設けられている。副布部９３を支持部２０あるいはシートクッション３０のカバー３６に接触させることにより、副布部９３と支持部２０あるいはシートクッション３０との間から害虫が幌７０の内部に侵入する虞が、効果的に低減される。図示の例では、接触手段９４は、第６縁部９３ｂに沿って設けられたゴムである。接触手段９４としてゴムを採用することにより、支持部２０あるいはシートクッション３０が動作しても（例えば座板２１ａに対して背板２１ｂを動かしても）、副布部９３の第６縁部９３ｂを、支持部２０あるいはシートクッション３０の動きに追随させることができる。したがって、副布部９３の第６縁部９３ｂを、支持部２０あるいはシートクッション３０に接触させ続けることができる。なお、接触手段９４としては、他の材料も採用可能であり、例えば紐であってもよい。また、接触手段９４を用いない他の方法により、副布部９３をシートクッション３０あるいは支持部２０に接触させてもよい。接触手段９４を用いずに副布部９３をシートクッション３０あるいは支持部２０に接触させる方法としては、例えば、副布部９３の第６縁部９３ｂ側の端部をシートクッション３０のカバー３６と支持部２０の背板２１ｂとの間に挟み込む等、様々な方法が採用可能である。
【００５３】
なお、図６及び図７から理解されるように、副布部９３の前端部は、第１主布部９１の後端部及びベース７２の後方周縁部７２ｒに接続されており、幌７０は、シートクッション３０の側周部を連続的に覆うことができるようになっている。
【００５４】
次に、図９乃至図１１を参照して、本実施の形態によるシートクッション及び幌の支持部への取り付け方法について説明する。
【００５５】
まず、図９に示すように、支持部２０のフットレスト２１ｄと座板２１ａと背板２１ｂの腰区域との上に、幌７０のベース７２を配置する。このとき、幌本体７１を、前方に折り畳んでおく。そして、ベース７２の第１の穴８１に股ベルト材５１を通し、第２及び第３の穴８２，８３に、それぞれ、一対の腰ベルト材５２，５３を通す。このようにして、幌７０のベース７２が、ベルト５１〜５３によって保持される。
【００５６】
次に、図１０に示すように、シートクッション３０をベース７２の上に配置する。そして、シートクッション３０の第１貫通孔６１に股ベルト材５１を通し、第２及び第３貫通孔６２，６３に、それぞれ、一対の腰ベルト材５２，５３を通し、また、第４及び第５貫通孔６４，６５に、それぞれ、一対の肩ベルト材５４，５５を通す。また、シートクッション３０のカバー３６を、支持部２０のヘッドレスト２１ｅ及び背板２１ｂに被せる。このようにして、シートクッション３０が支持部２０に装着される。
【００５７】
次に、図１１に示すように、幌本体７１の副布部９３を後方に引っ張って幌本体７１を広げながら、副布部９３を、シートクッション３０のカバー３６の上から、支持部２０のヘッドレスト２１ｅ及び背板２１ｂに被せる（図５及び図８参照）。これにより、副布部９３の第６縁部９３ｂは、支持部２０のヘッドレスト２１ｅ及び背板２１ｂあるいはこれらに被せられたシートクッション３０のカバー３６に接触する。このようにして、幌７０が、支持部２０及びシートクッション３０に装着される。
【００５８】
一方、幌７０及びシートクッション３０を支持部２０から取り外すには、上述した装着手順と逆の手順で取り外せばよい。
【００５９】
図１２及び図１３に示すように、上述してきた幌７０は、揺動椅子以外の育児器具にも適用可能である。図１２は、幌７０を乳母車としての育児器具１００に適用した例を示す。図１２に示す例において、乳母車１００は、乳母車本体としての支持部１２０と、支持部１２０に支持されたシートクッション１３０と、を備えている。より具体的には、乳母車本体１２０は、シートクッション１３０を支持する座席１２１と、座席１２１を支持する脚部１４０及びハンドル１４１を含む。座席１２１は、座部１２１ａと背もたれ１２１ｂとを含む。シートクッション１３０は、子供の臀部に主として対面する座部１３１と、子供の背中に主として対面する背部１３２とを有する。そして、幌７０のベース７２は、座席１２１の座部１２１ａ及び背もたれ１２１ｂの一部と、シートクッション１３０の座部１３１及び背部１３２の一部との間に配置される。また、幌本体７１の副布部９３が、座席１２１の背もたれ１２１ｂとシートクッション１３０の背部１３２に被せられ、これらの子供側の面とは反対側の面を覆っている。副布部９３の第６縁部９３ｂが、接触手段９４によって、シートクッション１３０の背部１３２または座席１２１の背もたれ１２１ｂの少なくとも一方に接触している。図１２に示す例においても、幌７０は、シートクッション１３０および座席１２１との間に害虫が幌７０内に侵入可能な隙間が形成されることを抑制しつつ、シートクッション１３０および座席１２１を覆っている。このように、幌７０は、その機能を損なうことなく乳母車１００に適用することができる。
【００６０】
また、上述してきた幌７０は、床上に置かれた子供用敷き布団やマット、簡易ベッドにも適用可能である。図１３は、幌７０を床に置かれた簡易ベッドに適用した例を示す。図１３に示す例において、シートクッション２３０は、簡易ベッドであり、支持部２２０は簡易ベッド２３０を支持する床である。簡易ベッド２３０は、子供の臀部及び脚に主として対面する第１領域２３１と、子供の背中及び頭部に主として対面する第２領域２３２とを有する。そして、幌７０のベース７２は、床２２０と簡易ベッド２３０の第１領域２３１及び第２領域２３２の一部との間に配置される。また、幌本体７１の副布部９３が、簡易ベッド２３０の第２領域２３２に被せられ、第２領域２３２の子供側の面とは反対側の面を覆っている。さらに、当該面に、副布部９３の第６縁部９３ｂが、接触手段９４によって接触している。図１３に示す例においても、幌７０は、簡易ベッド２３０との間に害虫が幌７０内に侵入可能な隙間が形成されることを抑制しつつ、簡易ベッド２３０を覆っている。このように、幌７０は、その機能を損なうことなく簡易ベッド２３０に適用することができる。
【００６１】
もちろん、上述してきた幌７０は、ペット用カートやペット用ベッド等のペット用飼育器具にも適用可能である。この場合、シートクッション３０は、ペット用のシートクッションやペット用ベッドであり、支持部２０は、シートクッション３０を支持するペット用飼育具本体や、ペット用ベッドを支持する床であってよい。
【００６２】
なお、図１４に示すように、幌７０を備えた育児器具１０は、更に第２の幌３７０を有していてもよい。この場合、第２の幌３７０は、幌７０とは異なる機能を有していることが望ましい。例えば、図示の例では、幌７０の布地９０は光を通すメッシュ状の布地であるので、第２の幌３７０の布地３９０は、遮光性の布地であることが望ましい。なお、図示の例では、第２の幌３７０は、支持部２０に形成された保持手段に３００よって保持されているが、幌７０と同様の方法により支持部２０及びシートクッション３０に装着されてもよい。
【００６３】
以上に説明してきた上述の一実施の形態において、幌７０は、支持部２０上に支持されたシートクッション３０を覆う幌であって、シートクッション３０を覆う幌本体７１と、幌本体７１の縁部の少なくとも一部９１ａに接続して、シートクッション３０と支持部２０との間に配置されるベース７２と、を備えている。
【００６４】
本実施の形態の幌７０によれば、シートクッション３０や支持部２０，１２０，２２０に、幌７０を保持するための専用の保持手段を設ける必要がない。このため、幌７０は、様々なシートクッション３０や支持部２０，１２０，２２０に適用可能である。
【００６５】
また、上述した一実施の形態において、支持部２０に設けられてシートクッション３０に形成された貫通孔６１〜６３を通過して延びるベルト材５１〜５３が通過する穴８１〜８３が、ベース７２に形成されている。これにより、幌７０のベース７２を、支持部２０に他の用途のために設けられたベルト材５１〜５３を用いて保持することができる。そして、ベース７２が支持部２０及びシートクッション３０に対して移動することを防止することができる。
【００６６】
この場合、例えば、支持部２０に三つのベルト材５１〜５３が設けられ、シートクッション３０には、三つのベルト材５１〜５３がそれぞれ通過する三つの貫通孔６１〜６３が形成されており、ベース７２には、三つのベルト材５１〜５３がそれぞれ通過する三つの穴８１〜８３が形成されている。具体的には、支持部２０に股ベルト材５１及び一対の腰ベルト材５２，５３が設けられ、シートクッション３０には、股ベルト材５１及び一対の腰ベルト材５２，５３がそれぞれ通過する三つの貫通孔６１〜６３が形成されており、ベース７２には、股ベルト材５１及び一対の腰ベルト材５２，５３がそれぞれ通過する三つの穴８１〜８３が形成されている。この場合、幌７０のベース７２は、三つのベルト材５１〜５３によって、三箇所で保持される。このため、ベース７２が支持部２０及びシートクッション３０に対して移動することが、より効果的に防止される。
【００６７】
また、上述した一実施の形態において、シートクッション３０は、子供の臀部に対面するようになる座部３１と、子供の背中に対面するようになる背部３２と、を有し、ベース７２は、背部３２の一部分及び座部３１と支持部２０との間に配置される。ここで、シートクッション３０の座部３１や背部３２及び支持部２０の座板２１ａや背板２１ｂは、育児器具１０に乗り込んだ子供の体重の大半を受ける部位である。シートクッション３０及び支持部２０のこれらの部位の間にベース７２が配置されることにより、ベース７２がシートクッション３０及び支持部２０に対して移動することが、効果的に抑制される。
【００６８】
また、上述した一実施の形態において、幌７０は、幌本体７１の縁部の一部分９３ｂに設けられ、前記一部分９３ｂをシートクッション３０及び支持部２０の少なくとも一方に接触させる接触手段９４を、更に備えている。これにより、幌本体７１とシートクッション３０及び支持部２０の少なくとも一方との間に隙間が形成されることを、抑制することができる。接触手段９４は、例えば、幌本体７１の縁部の一部分９３ｂに沿って設けられたゴムである。接触手段９４がゴムであることにより、シートクッション３０や支持部２０を動作させた場合、幌本体７１の縁部の一部分９３ｂを、シートクッション３０や支持部２０の動きに追随させることができる。このため、当該一部分９３ｂを、シートクッション３０及び支持部２０の少なくとも一方に接触させ続けることができる。なお、上述のように、幌本体７１の縁部の一部分９３ｂは、接触手段９４を用いない他の方法によっても、シートクッション３０及び支持部２０の少なくとも一方に接触させることができる。
【００６９】
また、上述した一実施の形態において、支持部２０は、育児器具本体であって、シートクッション３０とともに育児器具１０を構成する。なお、支持部２０は、ペット用飼育具本体であって、ペット用シートクッションと共に、ペット用カート等のペット用飼育器具を構成してもよい。
【００７０】
また、上述した一実施の形態において、幌本体７１は、布地９０と、布地９０に取り付けられた棒状の補強材７３と、を有し、ベース７２は、幌本体７１の布地９０よりも高強度の布地を有する。この場合、様々な力が加わるベース７２の強度を高くすることができ、幌７０全体を長寿命化させることができる。
【００７１】
また、上述した一実施の形態において、ベース７２は、布地を有し、幌本体７１の布地９０は、ベース７２の布地よりも可視光透過率の高い布地を有する。これにより、幌７０が全展開状態であっても、幌７０の外部から内部を観察することができる。また、幌７０の内部から外部を観察することができる。
【００７２】
また、上述した一実施の形態において、幌本体７１は、メッシュ材と、メッシュ材に取り付けられた棒状の補強材７３と、を有する。これにより、幌７０内部と外部との間での通気性を高めることができる。
【００７３】
以上に説明してきた上述の一実施の形態において、育児器具１０は、育児器具本体として構成された支持部２０と、支持部２０上に支持されたシートクッション３０と、上述の幌７０と、を備える。
【００７４】
本実施の形態の育児器具１０によれば、シートクッション３０や支持部２０に、幌７０を保持するための専用の保持手段を設ける必要がない。このため、シートクッション３０や支持部２０の設計の自由度が高くなる。
【００７５】
なお、以上において上述した実施例の形態に対する幾つかの変形例を説明してきたが、当然に、複数の変形例を適宜組み合わせて適用することも可能である。
【符号の説明】
【００７６】
１０  育児器具
２０  支持部
３０  シートクッション
３１  座部
３２  背部
３３  側壁部
３４  頭側部
３５  足側部
５１  股ベルト材
５２，５３  腰ベルト材
５４，５５  肩ベルト材
６１〜６５  貫通孔
７０  幌
７１  幌本体
７２  ベース
７３  補強材
８１〜８３  穴
９０  布地
９４  接触手段
【図１】
2019131111.tif 000003
【図２】
2019131111.tif 000004
【図３】
2019131111.tif 000005
【図４】
2019131111.tif 000006
【図５】
2019131111.tif 000007
【図６】
2019131111.tif 000008
【図７】
2019131111.tif 000009
【図８】
2019131111.tif 000010
【図９】
2019131111.tif 000011
【図１０】
2019131111.tif 000012
【図１１】
2019131111.tif 000013
【図１２】
2019131111.tif 000014
【図１３】
2019131111.tif 000015
【図１４】
2019131111.tif 000016